(57)【要約】【課題】急速充電可能なリチウムイオン電池（二次電池）を使用したとしても、充電設備の増強等、多大な費用負担を必要とせずに、日中の作業を支障なく行うことができる充電式フォークリフトの充電管理システムを提供する。【解決手段】複数の作業サイクルＣ１〜Ｃ７によりフォークリフト１〜４の運転スケジュールを構成し、かつ該運転スケジュールの各作業サイクルＣ１〜Ｃ７を、二次電池の容量に対応した連続運転可能時間より少ない時間に設定された充電パターンＢ（Ｂ１〜Ｂ７）と、充電後に実施する運転パターンＡ（Ａ１〜Ａ７）とから構成する。【選択図】図２
2011176968.tif 000002
【特許請求の範囲】
【請求項１】
バッテリ充電器にて急速充電可能な二次電池が搭載される充電式フォークリフトの充電管理システムであって、
複数の作業サイクルにより充電式フォークリフトの運転スケジュールを構成するとともに、該運転スケジュールの各作業サイクルを、二次電池の満充電容量に対応した連続運転可能時間より少ない作業期間の繰り返しに設定された充電パターンから構成することを特徴とする充電式フォークリフトの充電管理システム。
【請求項２】
前記システムは、運転スケジュール中のまだ実行されていない作業期間の直前の充電期間の長さを当該充電期間の直後の作業期間の運転期間の予想作業電力に基づいて決定することを特徴とする請求項１に記載の充電式フォークリフトの充電管理システム。
【請求項３】
前記ニ次電池は、各作業サイクルの運転パターンにおける最長の作業期間の連続運転に必要な容量のリチウムイオン電池であることを特徴とする請求項１に記載の充電式フォークリフトの充電管理システム。
【請求項４】
前記各作業サイクルは、所定の運転期間と充電期間とからなる前記運転パターンを基準に定められることを特徴とする請求項１又は請求項２のいずれか１項に記載の充電式フォークリフトの充電管理システム。
【請求項５】
日中の作業時間について、前記作業サイクルを基にして、前記充電パターンと運転パターンとを交互に実行する特徴とする請求項１〜３のいずれか１項に記載の充電式フォークリフトの充電管理システム。
【請求項６】
バッテリ充電器にて急速充電可能な二次電池が搭載される充電式フォークリフトの充電管理方法であって、
複数の作業サイクルにより充電式フォークリフトの運転スケジュールを構成するとともに、該運転スケジュールの各作業サイクルを、二次電池の満充電容量に対応した連続運転可能時間より少ない作業期間に設定された充電パターンと、満充電容量に対応した充電パターンとから構成することを特徴とする充電式フォークリフトの充電管理方法。
【発明の詳細な説明】
【技術分野】
【０００１】
本発明は、急速充電可能なリチウムイオン電池（二次電池）に適用可能な充電式フォークリフトの充電管理システム及び充電管理方法に関する。
【背景技術】
【０００２】
汎用の電気式フォークリフトの場合は、一般的な鉛電池を搭載しており、満充電には８時間ないしそれ以上の時間を要する。
そして、このような鉛電池は、満充電された後は、使い方の厳しさにもよるが、８時間程度を連続運用できる仕様のものが多い。また、電気式フォークリフトの駆動用電池は、鉛電池が殆ど全てであり、いわゆる急速充電できるものは殆どなく、急速充電ができたとしても、満充電には最低でも３〜４時間を要する。
なお、以下の説明において、「急速充電」に対する用語として、標準的な時間をかけた充電を「緩充電」と呼ぶことにする。
【０００３】
しかしながら、このような鉛電池では、急速充電を繰り返すことにより、緩充電に比べて寿命（充電回数など）が短くなるという不具合がある。また一般的な鉛電池では、満充電ではなく、短時間の運用に必要な最小限の充電を行うとしても、運用時間と同じ程度のアイドルの充電時間を要してしまう。例えば、ニ次電池の残量がこれ以上使用することができない程の残量となった場合（但し、充電器まで戻るための走行に必要な電気量は残っているものとする）、あと少し、例えば１時間だけの運用と同程度の充電時間（つまり１時間の充電時間）が必要となって、ちょっとした継ぎ足し的な柔軟な対処が困難であった。
【０００４】
また、鉛電池の場合、充電に伴って温度が上昇するため、車載して放電使用するに際して、常用温度となるまで自然冷却する必要があるが、その冷却時間は、前述したように充電時間と同程度とされる（仮に、１時間使用するために緩充電を１時間行ったら、充電１時間＋自然冷却１時間＝２時間はその電池は使えなくなると考えてよい）。フォークリフトでの運用なら、日中の８時間の運用（実稼働は７時間程度）を行うが、運用後、緩充電を８時間程行った後で、８時間自然冷却させる。その後、朝からその電池を再び８時間運用をすることで、２４時間の充電及び運用サイクルとなり、その結果、１個の電池ではあくまで一直（例えば一日を３直で運用する場合の１／３）での運用に限定されることになる。
【０００５】
なお、充電式フォークリフトに使用されるバッテリ又はその交換管理について、特許文献１〜３に示される技術が示されている。この中で、例えば、引用文献１に示されるフォークリフト用バッテリの充電システムでは、バッテリを充電するための充電器と、バッテリの引き出し操作を行ったことを検出して、その検出信号を出力する検出手段と、検出手段における検出信号に応答して、充電器を制御する制御手段とを含み、バッテリ引き出し検出信号の検出後の最初の１回の充電を均等充電として、バッテリダメージを低減している。
【先行技術文献】
【特許文献】
【０００６】
【特許文献１】特開２００９−１１８５９６号公報
【特許文献２】特開２００４−２６６８９２号公報
【特許文献３】特開２００４−３２８６９号公報
【発明の概要】
【発明が解決しようとする課題】
【０００７】
ところで、鉛電池を用いたバッテリでは、日中８時間の稼働時間をフルに確保するために大容量の電池を搭載し、かつ上述した「充電＋自然冷却」のためには多くの時間が必要となる。そして、このようなバッテリは、小型車（１ton級車）で使用されることが一般的であり、図３で示すようなサイクル／レートで充電される。
図３では、運転パターン（ア）に示すようにバッテリ車を８時から１８時まで間欠的に使用し、その後、充電パターン（イ）に示すように、１８時から２時まで８時間緩充電し（充電電流１００Ａ、受電電力５ｋＷ）、さらに２時から８時までの６時間、自然冷却した場合のサイクル／レートが示されている。
【０００８】
そして、このような鉛電池を用いたバッテリでは、長時間の緩充電及び自然冷却が一般的であり、継ぎ足し充電、補充電といった間欠的な充電は困難である。また、フォークリフトの車上スペースが、ほとんど大容量の鉛電池で占められる構造上であるために、レイアウトやデザインが制約を受け、エンジンとの併用が困難であった。
【０００９】
そこで、このような制約がある鉛電池ではなく、リチウムイオン電池等の急速充放電特性に優れたニ次電池を搭載することが考えられるようになった。
しかし、仮に在来の鉛電池搭載車と同じく、日中、連続８時間程度連続運用できる容量の二次電池を搭載して、実用的な短時間での急速充電を行おうとすると、その充電器は、非常に大きな充電電流を流す必要があり、充電器の実現性の問題（性能、コスト等）、さらに、充電器への受電電流も同様に大きくなる。もし、このような大きな充電電流を供給できる充電器の設置が可能であれば、リチウムイオン電池の特長（急速充電ができる、充電後の自然冷却が要らない）により、随時、短時間急速充電が可能となり、鉛電池のように１個で一直運用限定といった制約が無くなり、２４時間で２直以上といった柔軟な運用が可能となる。
【００１０】
しかし、大容量の充電器には大きな受電電流が必要とされるから、受電設備の増強、電力使用契約変更、基本料金増額などの問題がユーザーの負担となってくる。例として、首都圏であると最大５０ｋＷの受電量（電気量率）を超えると、契約電圧が２２０Ｖで済んだものが、６６００Ｖ級に替えて変電設備をユーザーが持たなくてはならなくなる（実際、２２０Ｖで５０ｋＷ以上を流そうとすると容量オーバーの懸念がある）。
このときの充電サイクル／レートを図４に示す。図４に示す充電サイクル／レートでは、運転パターン（ウ）に示すようにバッテリ車を８時から１８時まで間欠的に使用し、その後、充電パターン（エ）で示すように、１８時から１８時１５分までの１５分間急速充電（充電電流１６００Ａ、受電電力８０ｋＷ）した場合の例が示されているが、このような急速充電を行うとなると、前述したような充電設備の増強等、多大な費用負担を必要とするという問題が発生する。
【００１１】
この発明は、上述した事情に鑑みてなされたものであって、急速充電可能なリチウムイオン電池（二次電池）を使用したとしても、充電設備の増強等、多大な費用負担を必要とせずに、日中の作業を支障なく行うことができる充電式フォークリフトの充電管理システムを提供するものである。
【課題を解決するための手段】
【００１２】
上記課題を解決するために、この発明は以下の手段を提案している。すなわち、本発明は、バッテリ充電器にて急速充電可能な二次電池が搭載される充電式フォークリフトの充電管理システムであって、複数の作業サイクルにより充電式フォークリフトの運転スケジュールを構成するとともに、該運転スケジュールの各作業サイクルを、二次電池の満充電容量に対応した連続運転可能時間より少ない作業期間に設定された充電パターンにより構成し、あるいは、この充電パターンと、満充電容量に対応した充電パターンとの組み合わせにより構成することを特徴とする。
【００１３】
また、本発明は、前記システムは、運転スケジュール中のまだ実行されていない作業期間の直前の充電期間の長さを当該充電期間の直後の作業期間の運転期間の予想作業電力に基づいて決定することを特徴とする。
【００１４】
また、本発明では、前記各作業サイクルは、所定の運転期間と充電期間とに規定された前記運転パターンを基準に定められることを特徴とする。
【００１５】
また、本発明では、日中の作業時間について、前記作業サイクルを基にして、前記充電パターンと運転パターンとを交互に繰り返すことを特徴とする。
【発明の効果】
【００１６】
本発明によれば、複数の作業サイクルにより充電式フォークリフトの運転スケジュールを構成し、かつ該運転スケジュールの各作業サイクルを、二次電池の容量に対応した連続運転可能時間より少ない時間に設定された充電パターンと、パターンとから構成するようにした。
これにより、前記充電式フォークリフトに搭載するニ次電池は、運転スケジュールを構成している各作業サイクルの運転パターンの時間分だけを運用するだけの容量があれば十分で、結果としてニ次電池の小容量化を図ることができる。その結果、急速充電可能なリチウムイオン電池（二次電池）を使用したとしても、充電設備の増強等、多大な費用負担を必要とせずに、日中の作業を支障なく行うことができる。
【図面の簡単な説明】
【００１７】
【図１】充電式フォークリフトの充電管理システムの全体図である。
【図２】本発明の実施例に適用される作業スケジュールを示すタイムチャートである。
【図３】従来に係る作業スケジュールを示すタイムチャート（１）である。
【図４】従来に係る作業スケジュールを示すタイムチャート（２）である。
【発明を実施するための形態】
【００１８】
本発明の一実施例について図１及び図２を参照して説明する。
図１は、本実施例に係る充電式フォークリフトの充電管理システムの全体図であって、フォークリフトを４台（図面に、フォークリフト１、フォークリフト２、フォークリフト３、フォークリフト４として示す）使用し、それぞれのフォークリフト１〜４には、二次電池として急速充電可能な小型のリチウムイオン電池１ａ〜４ａが搭載されている。
【００１９】
一方、これらフォークリフト１〜４の作業エリア内には、基地局１０が設けられている。この基地局１０には、フォークリフト１〜４の充電スケジュールである運転スケジュールを作成するための運転スケジュール作成部２０、該運転スケジュール作成部２０で作成された運転スケジュールに従ってフォークリフト１〜４に対して帰還命令／出発命令などを出力する管理部１１、フォークリフト１〜４に装填されたリチウムイオン電池１ａ〜４ａを充電するためのバッテリ充電器１２、フォークリフト１〜４との間で帰還命令／出発命令に基づく通信を行う通信手段１３、該運転スケジュール作成部２０で作成した運転スケジュールを表示するための表示部１４、各種データを入力するための入力手段１５が設けられている。
【００２０】
また、前記入力手段１５では、例えば、各フォークリフト１〜４に搭載されるリチウムイオン電池１ａ〜４ａの特性データ（定格容量、最短急速充電時間、充電電流値、受電電力値など）が入力され、このような入力手段１５でのデータ入力に基づき、例えば、図２に示すような運転スケジュールが作成される。
なお、このような運転スケジュールは、各フォークリフト１〜４毎に複数作成されるが、ここでは１つの運転スケジュールについて説明する。
【００２１】
図２に示すように運転スケジュールは、複数の運転期間Ａ１〜Ａ７により構成される運転パターンＡと、複数の充電期間Ｂ１〜Ｂ７により構成される充電パターンBとから構成される。
運転パターンＡの運転期間Ａ１〜Ａ７と、充電パターンＢの充電期間Ｂ１〜Ｂ７とは交互に実施されるものであり、運転期間Ａ１と充電期間Ｂ１とで第１の作業サイクルＣ１、運転期間Ａ２と充電期間Ｂ２とで第２の作業サイクルＣ２、運転期間Ａ３と充電期間Ｂ３とで第３の作業サイクルＣ３、運転期間Ａ４と充電期間Ｂ４とで第４の作業サイクルＣ４、運転期間Ａ５と充電期間Ｂ５とで第５の作業サイクルＣ５、運転期間Ａ６と充電期間Ｂ６とで第６の作業サイクルＣ６が形成される。
【００２２】
なお、本例では、リチウムイオン電池１ａ〜４ａの特性に応じて、運転パターンＡの運転期間Ａ１〜Ａ７をそれぞれ１時間に設定し、かつ充電パターンＢの充電期間Ｂ１〜Ｂ７をそれぞれ１５分に設定することで、各作業サイクルＣ１〜Ｃ７を１時間１５分に定めている。すなわち、図２に示す運転スケジュールでは、１２時前後の休憩（符号Ｄで示す）を挟んで、フィークリフト１〜４の１時間の運転と、１５分の充電とを交互に繰り返す運転スケジュールが構築されている。
そして、このような運転スケジュールの作業サイクルＣ１〜Ｃ７に基づき、管理部１１から通信手段１３を介して、フォークリフト１〜４に対して帰還命令／出発命令などを出力し、フォークリフト１〜４の作業者に対する運転の指針とする。
【００２３】
以下に、上記の運転スケジュールにおいて、各作業サイクルＣ１〜Ｃ７を１時間１５分に定めた理由について説明する。
鉛電池では急速充電は困難であるが、リチウムイオン電池等の急速充放電型ニ次電池であると、短時間で充電ができる急速充電が可能となる。そして、上述したようなリチウムイオン電池を搭載した電気駆動式のフォークリフト１〜４であれば、電池の残量が少なくなって、これ以上使用が困難になった場合（ただし、充電場所までは行けるものとするが）、１５分の急速充電であっても、充電後において１時間程度のまとまった使用が可能である。
【００２４】
一般に、鉛電池では急速充電にした場合でも、１５分の充電で使用時間はせいぜい同じ１５分程度であり、非効率であり、それ以上の急速充電は電池を著しく劣化させるとともに、温度も上昇するため行えない。しかし、現状の高性能型のリチウムイオン電池であれば、１５分の急速充電で１時間の運用が可能となり、１５分程度の短時間であれば、貴重な日中の稼働時間帯中でも無駄時間として問題にならない。実際の現場では、連続１時間以上運用すると、オペレータは休憩を取るなどしており、その休憩時や、昼休み等に急速充電を行えば有効に時間を使うことができる。
【００２５】
従って、上述したような、１時間連続運用、１５分急速充電（昼休み等も有用である）といった作業サイクルＣ１〜Ｃ７での運用が可能であり、従来のように、１回の満充電では、１日フルの８時間程度の連続運用を考えないので、例えば、それを１時間を上限とした連続運用で考えれば（１時間おきの休憩、昼休み等に１５分程度の急速充電をしつつサイクルユースする）、電池の搭載電気容量は、８時間連続運用の在来車の８分の１程度とすることができる。
すなわち、上述したリチウムイオン電池１ａ〜４ａでは、急速充電を行っても電池容量総量が少ないので、充電に要する電流（電力）は少なく、８時間連続運用可能な大容量リチウムイオン電池のように、充電器の入力側電力の増加から来る受電設備の大型化の必要性が無く、設備投資等のユーザーの負担を無くすことができる。
【００２６】
これに、加えて高性能なリチウムイオン電池では、同じ電気容量当りの体積、質量が、鉛電池と比で半分程度に減ずるので、フォークリフト１〜４の車体への電池搭載量は先の搭載量の低減と相まって格段に少なくなり、同じ荷役性能で、車両全体を小型化することができる。さらに軽量化もなされるので、重心位置の調整により一層の走行運動性の向上が図れ、小型化により機動性も向上し、車体内レイアウト性、そして外観デザイン性も向上する。
また、リチウムイオン電池１ａ〜４ａの小型化により、内部スペースが狭隘なエンジン式フォークリフトと同一構造の車体を使えるようになり、部品の共通化、コスト削減に大きな効果がある。すなわち、本例では、８分の１程度の小容量の、リチウムイオン電池等の充放電特性が優れた電池とそれに応じた過大でない出力の急速充電設備を以上の考えに沿って応用することにより、現状の鉛電池を１日の日中分程度フルに搭載した在来車以上の良好な運用性、性能のフォークリフトを作ることができることになる。
【００２７】
以上詳細に説明したように本実施例に示す充電管理システムによれば、複数の作業サイクルＣ１〜Ｃ７によりフォークリフト１〜４の運転スケジュールを構成し、かつ該運転スケジュールの各作業サイクルＣ１〜Ｃ７を、二次電池の容量に対応した連続運転可能時間より少ない時間に設定された充電パターンＢ（Ｂ１〜Ｂ７）と、充電後に実施する運転パターンＡ（Ａ１〜Ａ７）とから構成するようにした。
これにより、前記フォークリフト１〜４に搭載するニ次電池は、運転スケジュールを構成している各作業サイクルＣ１〜Ｃ７の運転パターンＡ（Ａ１〜Ａ７）の時間分だけを運用するだけの容量があれば十分で、結果としてニ次電池の小容量化を図ることができる。その結果、急速充電可能なリチウムイオン電池（二次電池）を使用したとしても、充電設備の増強等、多大な費用負担を必要とせずに、日中の作業を支障なく行うことができる。
【００２８】
また、フォークリフト１〜４に急速充電可能なリチウムイオン電池（二次電池）を使用することにより以下の効果が奏される。
（１）本例では、最大でも１５分程度の急速充電ができて、その時間の短さゆえ、運用現場では昼休み、休憩時間等の合間であればアイドル無しに１時間程度のまとまった単位分の充電、そして運用がすぐにでき、少ない電池にもかかわらず、従来以上の高い運動性、そして急速充電によるユーザーの受電設備負担増大なしに優れたクルマが実現できる。
（２）リチウムイオン電池１ａ〜４ａサイズの小型化により、車両設計がし易くなり、車両デザイン性も良好にできる、小型・軽量化ができるのでさらに運動性や操車性が向上する。
（３）リチウムイオン電池の特長（急速充電ができる、充電後の自然冷却が要らない）により、随時、短時間急速充電でまとまった時間運用ができるので、鉛電池１個での１直運用限定のような制約がなく、２４時間運用のような自由な運用が可能である。
【００２９】
（４）電池の小型化により、保守・整備の際の手間が大いに軽減でき、ビジネスモデルとしての電池リース販売力、及び搭載するフォークリフトの商品力を向上させることができる。電池容量が小さくなる（本例では８分の１）ことで、リチウムイオン電池等の高性能電池では電池パックの体積、質量が現行の鉛電池式に比べ著しく減じられる。工夫次第では質量比で１０分の１以下にもなる。リチウムイオン電池では、特にメインテナンスの必要性は少ないが、それでも保守・管理、そして、車両と別けての電池パックのリース等のビジネス運用を考えた場合、短時間運用・短時間急速充電式での電池の目立った小型軽量化は非常に有利となり、その方面でのビジネスの活性化に貢献できる。
（５）主に電池容量が小さくなることで、高価な高性能電池によるコスト高を抑えることができ、車両としての経済的な実現性を高められる。
【００３０】
なお、上記実施例では、二次電池としてリチウムイオン電池以外にニッケル水素電池の使用も考えられる。しかし、リチウムイオン電池では、約９割以上の満充電を１０〜１５分以下程度で急速充電を行っても、充電に投じた電力が少なくとも９０％以上は電池内のエネルギとして蓄電されるだけの充電効率（要するに充電効率９０％以上）があり、このような高効率充電により異常な熱が出ず、充電式フォークリフト１〜４に使用するのに適している。
【００３１】
また、フォークリフト１〜４に搭載したリチウムイオン電池１ａ〜４ａでは、必要に応じて冷却するために強制空冷ファンを装備して良い。
【００３２】
また、図１に示すフォークリフトの充電管理システムでは、リチウムイオン電池１ａ〜４ａを充電するためのバッテリ充電器１２が1台である場合、各フォークリフト１〜４において充電時間が一致しないように該充電時間をずらすようにしても良く、また、バッテリ充電器１２を複数設けて自由な運転スケジュールを作成しても良い。
【００３３】
また、上記実施例では、各作業サイクルＣ１〜Ｃ７における運転パターンＡの運転期間Ａ１〜Ａ７を、それぞれ１時間を基準として定めたが、これら運転パターンＡの運転期間Ａ１〜Ａ７及び充電パターンＢの充電期間Ｂ１〜Ｂ７の時間は、リチウムイオン電池１ａ〜４ａの定格容量を基にして適宜、変更される。
【００３４】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００３５】
本発明は、急速充電可能なリチウムイオン電池（二次電池）に適用可能な充電式フォークリフトの充電管理システムに関する。
【符号の説明】
【００３６】
１〜４  フォークリフト
１ａ〜４ａ  リチウムイオン電池（二次電池）
１２  バッテリ充電器
２０  運転スケジュール作成部
Ａ  運転パターン
Ａ１〜Ａ７  運転期間
Ｂ  充電パターン
Ｂ１〜Ｂ７  充電期間
Ｃ１〜Ｃ７  作業サイクル
【図１】
2011176968.tif 000003
【図２】
2011176968.tif 000004
【図３】
2011176968.tif 000005
【図４】
2011176968.tif 000006